(57)【要約】【課題】  挿入した針金や棒等を摘みに引っ掛け、或いは押すなどすることによるサムターン摘みの不正解錠が阻止できる防犯サムターンを提供する。【解決手段】  防犯サムターン１００において、扉に取り付けられ内周面に係止凹部３７の形成された固定筒２１と、固定筒２１に内設され一端が錠箱に連結されるサムターン軸４５と、サムターン軸４５の端面に直径方向で形成されたガイド溝６１と、ガイド溝６１に収容され係止凹部３７に進入しサムターン軸４５の回転を阻止する一対のストッパ６３、６３と、屋内側に表出し二分割されるとともに回動軸８３がそれぞれに固設されこの回動軸８３を介して端面に支持される一対の翼状摘み８１，８１と、それぞれの回動軸８３の先端に固設され半径方向外側に延出した先端部８５ａ，８５ａ同士が一対のストッパ６３、６３同士の間に挟持される一対の押圧腕８５，８５とを設けた。【選択図】      図１
2005061141.tif 000002
【特許請求の範囲】
【請求項１】
錠箱を備えた扉に取り付けられ内周面の直径方向両端に係止凹部の形成された固定筒と、
該固定筒に同軸で回動自在に内設され一端が前記錠箱の施解錠機構に連結されるサムターン軸と、
該サムターン軸の他端側の端面に直径方向で形成されたガイド溝と、
該ガイド溝に収容され前記端面の半径方向外側に摺動することで前記固定筒の係止凹部に進入し前記サムターン軸の回転を阻止するとともに、相互に張架された引張りバネによって接近方向に付勢される一対のストッパと、
屋内側に表出し前記サムターン軸の軸線を挟んで二分割されるとともに前記サムターン軸の軸線と平行な回動軸がそれぞれに固設され該回動軸を介して前記端面に支持される一対の翼状摘みと、
それぞれの該翼状摘みの前記回動軸の先端に固設され該回動軸の半径方向外側に延出した先端部同士が前記サムターン軸の軸線方向に重なり合った状態で前記一対のストッパ同士の間に挟持される一対の押圧腕と、
を具備したことを特徴とする防犯サムターン。
【発明の詳細な説明】
【技術分野】
【０００１】
本発明は、扉の施解錠操作に用いられる防犯サムターンに関し、さらに詳しくは、サムターンの正規な解錠操作力以外の不正な解錠操作力を錠箱へ伝達不能にして防犯性を高める防犯サムターンに関する。
【背景技術】
【０００２】
住宅やマンション等の玄関扉、或いは事務所の入口扉には一般的に錠箱が設けられる。この錠箱は、扉木口から進退するデッドボルトを扉枠に係合・係合解除させ、扉を施解錠する施解錠機構を内蔵し、扉屋外のシリンダー錠、屋内側のサムターンに連結され、屋外側からはシリンダー錠による施解錠操作力、屋内側からはサムターンによる施解錠操作力の入力によって施解錠動作される。すなわち、屋外側からは合鍵による操作が必要になる一方、屋内側からはサムターン摘みのみにより簡便に施解錠が行えるようになっている。
【０００３】
この種のサムターンは、下記特許文献１にも開示されるように、扉の屋内面側に垂直に突出した板状の摘みを有する。この摘みは、サムターン軸を介して錠箱の施解錠機構に連結される。従って、屋内側からは、この摘みを指で摘んで正逆回転操作することで、回転操作力がサムターン軸を介して直接錠箱へ伝達され、施解錠機構によりデッドボルトが進退されて、扉が容易に施解錠される。
【０００４】
ところが、近年、ポスト口や、機械工具によって開けた小さな穴から棒や針金等を挿入し、回転操作の容易なサムターンに引っ掛け、或いは押し回して施解錠機構を解錠する不正解錠が増えている。このような不正解錠を防止するものに例えば下記特許文献２に開示されるサムターン用防犯カバーがある。
【０００５】
このサムターン用防犯カバーは、サムターンが嵌入する嵌入孔を有するとともに、サムターンを覆う外面部分が、円状軌跡に沿う円形状に形成されている。カバー側面には、上記の嵌入孔に螺入してサムターンの側面に当接し、両側からサムターンを挟持するセットスクリューが設けられている。このような構成からなる防犯カバーは、嵌入孔にサムターンを挿入して、サムターンを覆うように防犯カバーを被せる。その後セットスクリューを螺入させて締め付けることで、防犯カバーをサムターンに固定する。従って、サムターンに被せた防犯カバーによって、針金等を係止させたり、棒で押し回したりするサムターンの不正解錠操作が難しくなる。
【０００６】
また、上記した防犯カバーの別態様として、防犯カバーを、取付部及び本体部から構成したものが開示されている。取付部は、上記の防犯カバーの外形を手での操作が容易となるように形成し、本体部が係止する係止突部を設けている。取付部は、サムターンに被せた状態で、サムターンを容易に回転させることができる。また、本体部は、係止突部に係止可能な係止部を有している。このようにすることで、係止作業という簡単な作業で、防犯カバーの着脱が行える。さらに係止部で本体部が空転することにより、針金等を係止させたり、棒で押し回したりする不正解錠操作が不可能となる。
【特許文献１】特公平２−１５７１５号公報  （第１図ｂ，第１図ｃ）
【特許文献２】実公平４−４０３６２号公報
【発明の開示】
【発明が解決しようとする課題】
【０００７】
しかしながら、上記した従来の防犯カバーは、外形が円筒体形状であるため、従来の指による摘んでの容易な回転操作が行えず、操作性が低下した。また、既設のサムターンに被せた場合、本来小判形状であることからその回転位置によって視認できたサムターンの施錠状態又は非施錠状態が視認不能となり、誤操作が生じ易くなり、これによっても操作性を低下させた。
さらに、サムターンを回転操作可能にする取付部と、この取付部に対し空転し、且つ着脱可能となる本体部とから構成されているため、脱着した本体部の保管管理が煩雑となり、本体部を紛失する虞もあった。
【０００８】
本発明は上記状況に鑑みてなされたもので、挿入した針金や棒等を摘みに引っ掛け、或いは押すなどすることによるサムターン摘みの不正解錠が阻止できるとともに、一般のサムターンと同様な良好な操作性が確保でき、しかも、一般のサムターンと同様に摘みの垂直・水平姿勢から施解錠状態が容易に視認可能となる防犯サムターンを提供し、もって、サムターンの操作性確保と同時に、防犯性の向上を図ることを目的とする。
【課題を解決するための手段】
【０００９】
次に、上記の課題を解決するための手段を、実施の形態に対応する図面を参照して説明する。
この発明の請求項１記載の防犯サムターン１００は、錠箱を備えた扉３５に取り付けられ内周面３５ａの直径方向両端に係止凹部３７の形成された固定筒２１と、
該固定筒２１に同軸で回動自在に内設され一端が前記錠箱の施解錠機構５１に連結されるサムターン軸４５と、
該サムターン軸４５の他端側の端面に直径方向で形成されたガイド溝６１と、
該ガイド溝６１に収容され前記端面の半径方向外側に摺動することで前記固定筒２１の係止凹部３７に進入し前記サムターン軸４５の回転を阻止するとともに、相互に張架された引張りバネ７１によって接近方向に付勢される一対のストッパ６３，６３と、
屋内側に表出し前記サムターン軸４５の軸線を挟んで二分割されるとともに前記サムターン軸４５の軸線と平行な回動軸８３がそれぞれに固設され該回動軸８３を介して前記端面に支持される一対の翼状摘み８１，８１と、
それぞれの該翼状摘み８１，８１の前記回動軸８３の先端に固設され該回動軸８３の半径方向外側に延出した先端部８５ａ，８５ａ同士が前記サムターン軸４５の軸線方向に重なり合った状態で前記一対のストッパ６３，６３同士の間に挟持される一対の押圧腕８５，８５と、
を具備したことを特徴とする。
【００１０】
この防犯サムターン１００では、二分割された翼状摘み８１，８１が直線状に姿勢保持されたまま同時に回されることで、翼状摘み８１，８１の回動軸８３，８３を介してサムターン軸４５に回転操作力が伝達され、ストッパ６３，６３を摺動させることなく、解錠操作が可能となる。一方、二分割された翼状摘み８１，８１の片方に、針金が引っ掛けられ、或いは棒で押し回しされることによりモーメントが加わると、当該翼状摘み８１のみが回動軸８３と共に回転し、この回動軸８３に固設された押圧腕８５が一方のストッパ６３を端面の半径方向外側に押出し、ストッパ６３が固定筒２１の係止凹部３７に侵入して、解錠操作が不能となる。これにより、一対の摘み８１，８１を同時に回す正規の解錠操作以外の不正解錠が不能となり、防犯性が高められる。
また、施錠操作の際には、ストッパ６３，６３が係止凹部３７，３７に対向していないので、すなわち、係止凹部３７は、施錠状態の位置にあるストッパ６３のみに対応して配設されているので、一方の翼状摘み８１，８１のみを回しても、ストッパ６３，６３が係止凹部３７，３７に進入せずに、施錠が可能となり、良好な操作性が確保される。そして、操作力が作用しない通常時には、一対の押圧腕８５，８５が一対のストッパ６３，６３の間で挟持され、引張りバネ７１の付勢力が回動軸８３を介して翼状摘み８１，８１に及んで、一対の翼状摘み８１，８１が回動軸８３を介して直線状に姿勢保持される。これにより、施解錠状態が屋内側から容易に視認可能となり、誤操作の生じない良好な操作性が確保される。
【発明の効果】
【００１１】
本発明に係る防犯サムターンによれば、二分割された翼状摘みを直線状に姿勢保持したまま同時に回すことで、翼状摘みの回動軸を介してサムターン軸に回転操作力を伝達でき、ストッパを摺動させることなく、解錠操作を可能にすることができる。一方、二分割された翼状摘みの片方に、針金を引っ掛け、或いは棒で押すことによりモーメントが加わると、当該翼状摘みと共に回動軸が回転し、この回動軸に固設された押圧腕が一方のストッパを端面の半径方向外側に押出し、ストッパが係止凹部に侵入して、固定筒に対するサムターン軸の回転が不可能となり、解錠操作を不能にする。この結果、防犯性を向上させることができる。
また、施錠操作の際には、ストッパが係止凹部に対向していないので、一方の翼状摘みのみを回しても施錠を可能にでき、良好な操作性を確保することができる。そして、操作力が作用しない通常時には、一対の押圧腕が一対のストッパの間で挟持されるので、一対の翼状摘みが回動軸を介して直線状に姿勢保持され、板状サムターンと同様に、施解錠状態が屋内側から容易に視認可能となる。
【発明を実施するための最良の形態】
【００１２】
以下、本発明に係る防犯サムターンの好適な実施の形態を図面を参照して詳細に説明する。
図１は本発明に係る防犯サムターンを施錠状態で水平面によって断面にした分解図、図２は本発明に係る防犯サムターンを施錠状態で分解した要部斜視図、図３は図１に示した防犯サムターンの組立て状態を（ａ）、屋内側から内部を透視した正面視を（ｂ）に表した説明図である。なお、本明細書中において、説明を容易にする都合上、防犯サムターンの錠箱側を一端側、防犯サムターンの屋内側を他端側として説明を行う。
【００１３】
本実施の形態による防犯サムターン１００が取付けられる図示しない扉には、錠箱が設けられる。錠箱は、ラッチボルト、デッドボルト、及びこれらを扉の木口から進退させる錠箱機構部を内設している。錠箱のデッドボルトは、扉の屋外側の面に設けたシリンダー錠を合鍵（キー）によって、又は扉の屋内側の面に設けられたサムターン摘み（以下、「翼状摘み」とも称す）を回動することによって扉の木口から進退可能となっている。
【００１４】
扉又は錠箱には固定筒２１が固定される。固定筒２１の軸線方向一端側の外周には図３（ｂ）に示す一対の固定部２３，２３が上下に突設され、固定部２３，２３は図示しない固定穴を有している。固定筒２１は、扉内に設けられた錠箱にこの固定穴を介して固定される。
【００１５】
固定筒２１の他端側には中央穴２５を有した飾り筒２７が外周に被せられ、一対のネジ２９，２９によって固定筒２１に螺着される。この飾り筒２７の外周側となる固定筒２１の他端側には、他端側が平坦な略円錐台形状の化粧リング３１が外装される。化粧リング３１は、一端側の折り曲げ部３１ａと、飾り筒２７の一端側の端面との間に配設されたバネ３３の付勢力によって一端側３１ｂが図３（ａ）に示す扉３５の屋内面３５ａに押付けられる。
【００１６】
固定筒２１は、軸線方向の両端が開口し、一端側が錠箱に固定されることで、他端側が屋内側に突出する。この突出部分の外周は上記の化粧リング３１に覆われることになる。固定筒２１の他端側の内周面には、直径方向両端に係止凹部３７，３７が形成される。本実施の形態において、直径方向両端の係止凹部３７，３７は、固定筒２１の内周面の天面側と底面側とに設けられる。従って、水平断面とした図１では、底面側の係止凹部３７のみが表されている。
【００１７】
固定筒２１の内部には貫通穴３９を有するフランジ部４１が形成される。フランジ部４１は、他端側に円板部４３を有したサムターン軸４５を挿通する。サムターン軸４５は、フランジ部４１に挿通支持されることで、固定筒２１と同軸で回動自在となる。本実施の形態において、サムターン軸４５の一端側には、先端に断面十字状の連結突起４７ａを有した連結軸４７が固定ピン４９を介して一体に嵌入固定されている。サムターン軸４５は、この連結軸４７を介して錠箱の図３（ａ）に示す施解錠機構５１に連結される。
【００１８】
サムターン軸４５は、フランジ部４１の一端側において、外周面に形成された周溝５３に止めリング５５が係着され、さらにこの止めリング５５と、固定筒２１の段部５７との間にワッシャ５９が配置され、軸線方向の移動が規制されて固定筒２１の内部に取付けられる。
【００１９】
サムターン軸４５の他端側に連設された円板部４３の他端側の端面には、直径方向でガイド溝６１が形成される。このガイド溝６１には一対のストッパ６３，６３が収容され、それぞれのストッパ６３，６３は円板部４３の半径方向外側に摺動することで、上記した固定筒２１の係止凹部３７に進入し、サムターン軸４５の回転を阻止可能とする。
【００２０】
ストッパ６３，６３の一端側の面にはスライドピン６５が突設され、スライドピン６５はガイド溝６１の溝底に設けられた長穴６７に挿入されて摺動が案内される。このストッパ６３には掛け止め突起６９が突設され、これら掛け止め突起６９，６９には引張りバネ７１が張架され、一対のストッパ６３，６３は、半径方向内側に付勢されている。つまり、通常時には、円板部４３から外方へ突出して係止凹部３７，３７へ係止しないようになっている。
【００２１】
円板部４３の他端面には、同外径のカバー部材７３が、複数のビス穴７５に挿通された図示しないビスによって円板部４３に固定される。カバー部材７３には引張りバネ７１を収容する縦溝７７が形成されている。このカバー部材７３には、縦溝７７を挟んで一対の軸受穴７９，７９が穿設されている。
【００２２】
防犯サムターン１００では、屋内側にサムターン軸４５の軸線を挟んで二分割された一対の翼状摘み８１，８１が表出される。それぞれの翼状摘み８１，８１には、サムターン軸４５の軸線と同方向の回動軸８３，８３が固設され、回動軸８３，８３はカバー部材７３の軸受穴７９，７９に回動自在に挿通される。つまり、一対の翼状摘み８１，８１は、回動軸８３，８３、カバー部材７３を介して、サムターン軸４５の他端側の端面に支持される。
【００２３】
それぞれの回動軸８３，８３の一端側には、この回動軸８３，８３の半径方向外側に延出する押圧腕８５，８５が固設されている。それぞれの押圧腕８５，８５は、円板部４３の他端側の端面に形成された長穴状の収容部８７に揺動可能に収容される。押圧腕８５，８５は、小円弧部と大円弧部とを連設させた略ダルマ形状で形成され、小円弧部である先端部８５ａ，８５ａ同士がサムターン軸４５の軸線方向に重なり合った状態で一対のストッパ６３，６３同士の間に挟持されている。
【００２４】
一対の翼状摘み８１，８１は、この押圧腕８５，８５の先端部８５ａ，８５ａがストッパ６３，６３の間で挟持されることで、直線状に姿勢保持されるようになっている。また、逆に、直線状に姿勢保持された翼状摘み８１，８１は、いずれかに外力が加われば、回動軸８３を中心に回動し、押圧腕８５を介してストッパ６３を押圧するようになっている。
【００２５】
次に、このように構成された防犯サムターンの作用を説明する。
図４は本発明に係る防犯サムターンを不正解錠操作時において屋内側から内部を透視した正面図である。
この防犯サムターン１００は、施錠状態、すなわち、翼状摘み８１，８１が水平に姿勢している状態では、図３（ｂ）に示すように、円板部４３のガイド溝６１が上下方向に延在するように配置される。
【００２６】
この施錠状態において、例えば屋内側に針金或いは棒等が挿入されて、片側の翼状摘み８１に外力が加えられると、図４に示すように、当該翼状摘み８１（図４中右側のもの）が回動軸８３を中心にして回転され、中折れ状態となる。
これに伴って、回動軸８３に固設された押圧腕８５の先端部８５ａが一方のストッパ６３、図示の例では上側のストッパ６３、を半径方向外側（上側）に押圧する。
押圧されたストッパ６３は、円板部４３から外方へ突出され、固定筒２１の天面側の係止凹部３７に進入する。
従って、この状態では、サムターン軸４５の円板部４３と固定筒２１とがストッパ６３によって係止状態となり、回転不能となってサムターン摘み（翼状摘み８１，８１）による回転操作力の伝達が阻止される。
【００２７】
一方、一対の翼状摘み８１，８１を同時に摘んで回転する正規の解錠操作によれば、サムターン軸４５に対し、軸線を点対称とした同量逆方向のモーメントが加えられることになり、ストッパ６３が突出することなく、サムターン摘み（翼状摘み８１，８１）による回転操作力がサムターン軸４５へと伝達される。
【００２８】
また、解錠状態において、施錠操作する場合には、仮に一方の翼状摘み８１のみが回転されても、ガイド溝６１が水平方向に配置されているため、固定筒２１の内周面には対応位置に係止凹部３７，３７が存在せず、ストッパ６が係止することなく、サムターン軸４５の回転が可能となる。
【００２９】
従って、この防犯サムターン１００によれば、二分割された翼状摘み８１，８１の片方に、針金が引っ掛けられ、或いは棒で押し回しされることによりモーメントが加わると、当該翼状摘み８１のみが回動軸８３と共に回転し、この回動軸８３に固設された押圧腕８５が一方のストッパ６３を押出し、固定筒２１の係止凹部３７に侵入して、解錠操作が不能となる。これにより、一対の摘みを同時に回す正規の解錠操作以外の不正解錠が不能となり、防犯性が高められる。
【００３０】
また、施錠操作の際には、ストッパ６３が係止凹部３７に対向していないので、すなわち、係止凹部３７は、施錠状態の位置にあるストッパ６３のみに対応して配設されているので、一方の翼状摘み８１のみを回しても、ストッパ６３が係止凹部３７に進入せずに、施錠が可能となり、良好な操作性が確保される。そして、操作力が作用しない通常時には、一対の押圧腕８５，８５が一対のストッパ６３，６３の間で挟持され、引張りバネ７１の付勢力が回動軸８３，８３を介して翼状摘み８１，８１に及んで、一対の翼状摘み８１，８１が回動軸８３，８３を介して直線状に姿勢保持される。これにより、一般的な翼板状サムターンと同様に、施解錠状態が屋内側から容易に視認可能となり、誤操作の生じない良好な操作性が確保されることになる。
【００３１】
なお、上記の実施の形態では、外方の角部が円弧状になる翼状摘み８１の形状を例に説明したが、翼状摘み８１の形状はこれに限定されるものではなく、この他、矩形状、三角形状、扇形状等であってもよい。
【図面の簡単な説明】
【００３２】
【図１】本発明に係る防犯サムターンを施錠状態で水平面によって断面にした分解図である。
【図２】本発明に係る防犯サムターンを施錠状態で分解した要部斜視図である。
【図３】図１に示した防犯サムターンの組立て状態を（ａ）、屋内側から内部を透視した正面視を（ｂ）に表した説明図である。
【図４】本発明に係る防犯サムターンを不正解錠操作時において屋内側から内部を透視した正面図である。
【符号の説明】
【００３３】
２１…固定筒
３５…扉
３５ａ…内周面
３７…係止凹部
４５…サムターン軸
５１…施解錠機構
６１…ガイド溝
６３…ストッパ
７１…引張りバネ
８１…翼状摘み
８３…回動軸
８５…押圧腕
８５ａ…先端部
１００…防犯サムターン
【図１】
2005061141.tif 000003
【図２】
2005061141.tif 000004
【図３】
2005061141.tif 000005
【図４】
2005061141.tif 000006